(57)【特許請求の範囲】
【請求項１】
前面が開口してなる本体キャビネットと、この本体キャビネットの前面に開閉自在に取り付けられた外扉と、片開き式のカバーを有し、管理情報を印字出力するプリンターを備えた自動販売機において、前記プリンターは横置き姿勢で外扉に収容された格納位置と当該格納位置から外扉の背面側に向けて突出した保守位置とに出没自在に配設し、前記保守位置はカバーを開閉して印字用紙の交換が可能な位置に定めたことを特徴とする自動販売機。
【請求項２】
請求項１記載の自動販売機において、プリンターは外扉に支軸を介して回動可能に配設されていることを特徴とする自動販売機。
【請求項３】
請求項１記載した自動販売機において、プリンターは外扉にスライド移動可能に配設されていることを特徴とする自動販売機。
【請求項４】
請求項１乃至３のいずれかに記載の自動販売機において、プリンターは保守位置に突出した状態で外扉を閉じた際、本体キャビネットの構成部品と当接して外扉の格納位置に収容されることを特徴とする自動販売機。
【発明の詳細な説明】
【技術分野】
【０００１】
この発明は、前面が開口してなる本体キャビネットと、この本体キャビネットの前面に開閉自在に取り付けられた外扉とを備えた自動販売機に係り、特に、商品販売情報・売上集計データ，故障診断結果の異常情報などの管理情報を印字出力するプリンターを備えた自動販売機に関する。
【背景技術】
【０００２】
自動販売機として一般的な缶入り飲料，ペットボトル入り飲料などの商品を販売する飲料自動販売機の構成を図５および図６に示す。図５は前記飲料自動販売機の正面図であり、図６は外扉の要部背面を示す斜視図である。図５において、１０は断熱材で囲まれた庫内に缶入り飲料などの商品を格納した本体キャビネットであり、本体キャビネット１０の庫内には、断熱仕切壁により左右方向に複数の商品収納室に区分され、各商品収納室は、缶入り飲料などの商品を収容するとともにその下端に、商品選択ボタンの操作により商品を搬出する商品払出機構を有する商品収納ラックが収設され、また、各商品収納室の下部には、当該各商品収納室を冷却もしくは加熱して商品収納ラックに収容した商品を冷蔵・温蔵状態に保存する冷却／加熱ユニットが配設されている。そして、本体キャビネット１０の底部には前記冷却／加熱ユニットの蒸発器とともに冷凍機のコンデンシングユニットを構成する圧縮機，凝縮器，ファンなどが配設されている。
【０００３】
２０は本体キャビネット１０の前面にヒンジ２０ａにより開閉自在に装着された外扉である。この外扉２０の前面の上部域は透明パネル４０で覆われたディスプレイ室５０として形成されている。このディスプレイ室５０には本体キャビネット１０の庫内に収容した商品に対応した複数の商品見本８０を左右に一列に並べて載置したディスプレイ台７０が上下方向に３段取り付けられている。前記透明パネル４０には、各ディスプレイ台７０に対峙する位置に商品選択ボタンユニット９０が設けられ、商品選択ボタンユニット９０は、ディスプレイ台７０に載置された各商品見本８０に対応して左右に一列に並べて設けた商品選択ボタン９０aを有している。前記外扉２０のディスプレイ室５０の下方には操作パネル２００が設けられ、この操作パネル２００には硬貨投入口２０１、紙幣投入口２０２、返却レバー２０３、投入金額，庫内温度，販売中，準備中などの各種情報をディスプレイに表示する販売情報表示部２０４、シリンダー錠付きの主ロック装置Ｌ１およびシリンダー錠付きの補助ロック装置Ｌ２が組付けられている。また、前記外扉２０の前面には釣銭返却口２０５、商品販売口２０６、ロゴタイプや広告情報を表示する広告展示部２０７が配設されている。なお、ディスプレイ室５０の上部およびディスプレイ台７０の下部には商品見本８０などを明るく照らす照明光源としての蛍光灯（不図示）が配設されている。
【０００４】
かかる自動販売機は前記本体キャビネット１０の前面を閉塞するように外扉２０を閉じた状態においてキー操作により補助ロック装置Ｌ１および主ロック装置Ｌ２を施錠し、商用電源からの電力供給を受けてディスプレイ室５０内の蛍光灯を点灯制御することにより商品見本８０などを明るく照らし出すとともに冷却／加熱ユニットを運転制御することにより庫内の商品を冷却／加熱する。硬貨または紙幣が投入されると図６に示すコインメカニズム２１１または紙幣識別装置２１２で識別し、投入金額を積算して販売情報表示部２０４に表示するととともに前記投入金額と商品販売価格とを比較して商品選択ボタン９０ａの販売可能ランプを点灯制御する。商品選択ボタン９０ａが操作されると対応する商品収納ラックに搭載された商品払出機構に販売信号を供給する。この販売信号に基づいて前記商品払出機構はソレノイドの励磁・釈放動作により商品収納ラックに収容した商品を１個づつ搬出する。なお、投入金額と商品販売価格とを演算して投入金額が商品販売価格を超えている場合にはコインメカニズム２１１を制御して釣銭を払い出す。
【０００５】
この種の自動販売機は一日ごとの商品種別販売情報や売上集計データなどを記憶するとともに故障診断結果を記憶する記憶装置を備え、商品の販売金額などの設定を行うリモコンボックスからの指令により前記記憶装置から読み出した管理情報をプリンター１（図６参照）から印字出力するように構成されている（例えば、特許文献１）。前記プリンター１は外扉２０の背面に設置され、管理情報を印字する際には外扉２０を開放してリモコンボックスを操作してプリンター１から印字出力するとともに印字用紙（ロール紙）の交換作業を行うように構成されている。なお、図６において、２１３はコインメカニズム２１１からの硬貨を硬貨返却口２０５若しくは金庫２１４に振り分ける硬貨振分機構である。
【０００６】
前記プリンター１は薄い箱型形状の直方体として形成されており、内部に装填されたロール紙を覆うように断面半円弧状のドーム形状に形成されたカバー２を備えている。前記カバー２は片開き式に形成され、当該カバー２を開放してロール紙の交換が行われる。前記プリンター１は自動販売機の専用品として開発するとコストが嵩むことから一般的に市販品が使用されている。
【特許文献１】特開平７−２９６２２９号公報
【発明の開示】
【発明が解決しようとする課題】
【０００７】
前述したように前記プリンター１はカバー２を開閉してロール紙を交換するように構成されている。このためプリンター１はカバー２が外扉２０の背面側に水平方向に開閉されるように縦置きに設置されている。このように、プリンター１を縦置きに設置すると投影面積が大きいことからプリンター１が外扉２０に占める面積が大きくなる。ところで、電子マネーの普及に伴って自動販売機にも電子マネーが搭載されるようになり、現金による販売に加えて電子マネーによる販売を可能とした自動販売機が出現している。このため、自動販売機の外扉には現金を識別するコインメカニズム２１１や紙幣識別装置２１２に加えてＩＣカードや携帯電話をかざすアンテナ部やその制御部の設置場所を確保せねばならない。この場合、硬貨投入口２０１や紙幣挿入口２０２から離れた位置に電子マネーのアンテナ部を配設すると利用者の使い勝手が悪いことから操作パネル２００の近傍にアンテナ部の設置場所を確保せねばならず、外扉２０の部品配置構造が見直された結果、外扉２０の限られたスペースにプリンター１を縦置きの状態で設置する場所が確保できなくなった。そこで、プリンター１の投影面積が縦置きに比較して小さい横置きに設置することが考えられた。しかしながら、プリンター１を横置きにしてもロール紙を交換するためにカバー２を開閉せねばならず、このカバー２を開閉するスペースまで確保することは困難であり、プリンター１を横置きに設置するスペースはあるもののロール紙の交換ができないことからプリンター１を外付けとして持ち運ばねばならないという問題を有する。
【０００８】
本発明は上記の点に鑑みなされたものであり、その目的は前記課題を解決し、プリンターを横置きに設置しても印字用紙の交換が可能な自動販売機を提供することにある。
【課題を解決するための手段】
【０００９】
上記目的を達成するために請求項１に係る発明は、前面が開口してなる本体キャビネットと、この本体キャビネットの前面に開閉自在に取り付けられた外扉と、片開き式のカバーを有し、管理情報を印字出力するプリンターを備えた自動販売機において、前記プリンターは横置き姿勢で外扉に収容された格納位置と当該格納位置から外扉の背面側に向けて突出した保守位置とに出没自在に配設し、前記保守位置はカバーを開閉して印字用紙の交換が可能な位置に定めたことを特徴とする。
【００１０】
また、上記目的を達成するために請求項２に係る発明は請求項１に記載した自動販売機において、プリンターは外扉に支軸を介して回動可能に配設されていることを特徴とする。更に、上記目的を達成するために請求項３に係る発明は請求項１に記載した自動販売機において、プリンターは外扉にスライド移動可能に配設されていることを特徴とする。
【００１１】
そして、上記目的を達成するために請求項４に係る発明は請求項１乃至３のいずれかに記載した自動販売機において、プリンターは保守位置に突出した状態で外扉を閉じた際、本体キャビネットの構成部品と当接して外扉の格納位置に収容されることを特徴とする。
【発明の効果】
【００１２】
本発明の請求項１に係る自動販売機においては、前面が開口してなる本体キャビネットと、この本体キャビネットの前面に開閉自在に取り付けられた外扉と、片開き式のカバーを有し、管理情報を印字出力するプリンターを備えた自動販売機において、前記プリンター横置き姿勢で外扉に収容された格納位置と当該格納位置から外扉の背面側に向けて突出した保守位置とに出没自在に配設し、前記保守位置はカバーを開閉して印字用紙の交換が可能な位置に定めたことにより、プリンターを外扉の比較的小さなスペースに取り付けることが可能となり、また、横置き姿勢で外扉に収容された格納位置からから外扉の背面に向けて突出させることにより他の部品により妨げられることなくカバーを開閉することが可能となるので印字用紙の交換を簡単に行うことができる。
【００１３】
また、本発明の請求項２に係る自動販売機のようにプリンターを、外扉に支軸を介して回動可能に配設、または、本発明の請求項３に係る自動販売機のようにプリンターを、外扉にスライド移動可能に配設することにより、プリンターをスムーズに移動させることができる。
【００１４】
そして、本発明の請求項４に係る自動販売機のように、プリンターは保守位置に突出した状態で外扉を閉じた際、本体キャビネットの構成部品と当接して外扉の格納位置に収容されるように構成したことにより、プリンターを外扉の格納位置から突出させて保守・点検の後、格納位置に戻し忘れて外扉を閉じた際にもプリンターが本体キャビネットの構成部品と当接して外扉の格納位置に収容されるのでプリンターを誤って破損してしまうことを未然に防ぐことができる。
【発明を実施するための最良の形態】
【００１５】
以下、本発明の実施の形態１における自動販売機を図１乃至図４に基づいて説明する。図１は本発明の実施の形態である自動販売機における外扉の要部背面を示し、（ａ）はプリンターを外扉に横置き姿勢で格納位置に収容した状態の斜視図、（ｂ）および（ｃ）はそれぞれプリンターを外扉の格納位置に収容した状態および背面側に向けて突出させた状態を示す要部拡大図、図２は図１に示したプリンターとその取付部品を示し、（ａ）はその分解斜視図、（ｂ）は取付部品の組立図、図３はプリンターを出没させる動作説明図であり、（ａ）および（ｂ）はそれぞれ外扉に収容した状態および保守位置に突出させた状態を示す図、図４はプリンターと本体キャビネットの構成部品との関係を示す要部平面図である。
【００１６】
図１において２０で再び外扉を示し、前記外扉２０には従来と同様に、コインメカニズム２１１、紙幣識別装置２１２、硬貨振分機構２１３、金庫２１４、商品取出口２０６などを有する。２０Ａはコインメカニズム２１１、紙幣識別装置２１２に並べて設置される電子マネーを装着するための取付枠である。２０Ｂは外扉２０の外周枠を形成する下枠である。この下枠２０Ｂと商品取出口２０６との間の比較的小さな空間にこの発明に係るプリンター１が設置されている。前記プリンター１は投影面積の小さい横置き姿勢で外扉２０に設置され、この外扉２０に収容された状態では商品取出口２０６が邪魔となってプリンター１のカバー２を開放することができない。そこで、この実施の形態１の自動販売機ではプリンター１を、図１の（ｂ）に示すように外扉２０に収容された格納位置と、図１の（ｃ）に示すように格納位置から外扉２０の背面側に突出した保守位置とに出没自在とし、図１の（ｃ）のようにプリンター１を外扉２０の背面側に突出させた位置においてプリンター１のカバー２を開放できるようにしている。なお、図１の（ｂ），（ｃ）において４はプリンター１を外扉２０に配設するための取付部品であり、この取付部品４によりプリンター１が外扉２０から出没可能なように構成されている。
【００１７】
前記取付部品４は図２の（ａ）に示すように取付台５と固定金具６とからなり、これら取付台５および固定金具６はそれぞれ薄板鋼板を折り曲げて形成されている。前記取付台５は断面略Ω状に形成され、外扉２０の下枠２０Ｂと商品取出口２０６との間の空間に嵌挿されてねじにより外扉２０に固定して配設される。前記取付台５の載置面５Ａには固定金具６の支軸となるねじ７が螺合するねじ穴５１と、固定金具６のストッパを構成する係合穴５２および上方に突出するとともに先端が鉤状に形成された係合突片５３を備えている。前記固定金具６は当該固定金具６をコ字状に折り曲げて形成した係合片６１、切り起しにより形成されて上方に突出する固定片６２、左右方向に延在する長穴６３、切り起しにより形成されて下方に突出するストッパ片６４および固定金具６の板面の略中央に開口した規制穴６５を有する。前記固定金具６の長孔６３には固定片６２よりも後方（奥行き方向）の位置であって、取付台５のねじ穴５１に捻じ込まれるねじ７が遊嵌される大きさに形成されている。また、規制穴６５には前記取付台５の係合突片５３が挿入されるととも規制穴６５の前縁に沿って右端方向に延在する規制溝６５１が形成され、この規制溝６５１は前記係合突片５３が嵌り込む大きさに形成されている。なお、３はプリンター１に内蔵されるロール紙（印字用紙）である。
【００１８】
前記プリンター１は固定金具６に一体的に組付けられる。すなわち、固定金具６の係合片６１をプリンター１に係合させてねじ止めするとともに固定片６２をねじによりプリンター１にねじ止めすることにより固定金具６とプリンター１とが一体化されている。このようにプリンター１が一体化された固定金具６を取付台５に組付けるのであるが、プリンター１が組付けられた状態では固定金具６と取付台５との位置関係が見えないことから固定金具６を取付台５に組付けた状態を示す図２の（ｂ）においてはプリンター１を省略して示している。（プリンター１が一体化された）固定金具６を取付台５への組付ける際、取付台５の載置面５Ａに固定金具６を載置させる。このとき、固定金具６のストッパ片６４が取付台５の係合穴５２に嵌合し、固定金具６の規制穴６５に取付台５の係合突片５３を受入れるようにする。そして、固定金具６の長穴６３および取付台５のねじ穴５１を上下方向に一致させた状態で固定金具６の長穴６３を介してねじ７を取付台５のねじ穴５１に捻じ込む。このとき、固定金具６の長穴６３の左端をねじ７に当接させた状態において取付台５の係合突片５３が固定金具６の規制穴６５に連通して形成された規制溝６５１の近傍に位置し、かつ、固定金具６のストッパ片６４が取付台５の係合穴５２の左端より離隔するように取付台５の係合突片５３と固定金具６の規制穴６５との位置関係が定められている。最後に固定金具６をねじ７が嵌挿された長孔６３に沿ってその長孔６３の右端がねじ７に当接するまで左方向にスライドさせると固定金具６の規制溝６５１に係合突片５３が嵌入し、かつ、固定金具６のストッパ片６４が取付台５の係合穴５２の左端に当接若しくは近接し、この状態を図２の（ｂ）に示す。なお、取付台５に、プリンター１が一体的に組付けられた固定金具６を組付けたものはプリンターモジュールとしてモジュール化され、オプション品として既設の自動販売機に適用することも可能としている。
【００１９】
図２の（ｂ）に示すように前記固定金具６を取付台５に組付けた状態では取付台５の係合突片５３が固定金具６の規制溝６５１に嵌入し、また、固定金具６のストッパ片６４が取付台５の係合穴５２（図２の（ａ）参照）に嵌合しているので、固定金具６は取付台５のΩ状部に入り込んだ状態で前後方向への移動が阻止されている。このようにモジュール化されたプリンターモジュールは、図１の（ｂ）に示すように、外扉２０の下枠２０Ｂと商品取出口２０６との間の空間に配置し、取付台５をねじ止めすることによりプリンター１が外扉２０の格納位置に収容された状態で設置される。
【００２０】
次に、前記プリンター１を外扉２０に収容した格納位置と当該格納位置から外扉２０の背面側に向けて突出した保守位置とに出没させる動作について図３を用いて説明する。なお、図３においても図２の（ｂ）と同様に、プリンター１が組付けられた状態では固定金具６と取付台５との位置関係が見えないことからプリンター１を省略して示している。
【００２１】
プリンター１を外扉２０の格納位置に収容した状態（図１の（ｂ）の状態）から外扉の背面側に向けて突出させる際には図３の（ａ）に示す状態から固定金具６を右方向にスライドさせ、固定金具６の規制溝６５１と取付台５の係合突片５３との係合を解除させる。その後、固定金具６の右端側を上方に浮かせて固定金具６のストッパ片６４を取付台５の係合穴５２（図３の（ｂ）参照）から抜け出させる。この状態を維持しつつ図３の（ｂ）に示すように固定金具６をねじ７を支軸として反時計方向に回動させる。このとき、取付台５の係合突片５３は固定金具６の規制穴６５の中に位置して相対的に移動し、また、ストッパ片６４は取付金６の載置面５Ａ上を滑動している。そして、前記固定金具６の規制穴６５と前記係合突片５３と相対的な移動により前記係合突片５３が規制穴６５の縁に当接すると固定金具６は回動を規制されてその位置に停止する（図１の（ｃ）の状態）。この状態はプリンター１が外扉２０の背面側に突出してカバー２を開放可能な保守位置であり、この保守位置でプリンター１のロール紙（印刷用紙）の交換などの保守や点検を行う。
【００２２】
外扉２０の格納位置から保守位置に引き出されたプリンター１を元の位置（外扉２０の格納位置）に戻すには前記とは逆の操作を行えばよい。すなわち、図３の（ｂ）の状態から固定金具６をねじ７を支軸として時計方向に回動させる。そして、固定金具６の時計方向への回動により、図３の（ａ）に示すように、そのストッパ片６４が取付台５の係合穴５２に嵌り込むと固定金具６は時計方向の回動を規制されて停止する。このとき、取付台５の係合突片５３が固定金具６の規制穴６５に形成した規制溝６５１の近傍に位置している。なお、ストッパ片６４が係合穴５２に嵌り込む際にストッパ片６４が取付台５の載置面５Ａから係合穴５２に落ち込むので、その際の固定金具６の挙動から格納位置まで回動したことを知ることができる。このようにストッパ片６４が係合穴５２に嵌り込んだ際の挙動に基いて固定金具６を右方向にスライドさせ、固定金具６の規制溝６５１に係合突片５３を嵌入させることにより固定金具６（プリンター１）の格納位置への収容が完了する。
【００２３】
ここで、プリンター１を外扉２０に収容した格納位置から外扉２０の背面側の保守位置に突出させて保守・点検を行った後、プリンター１を外扉２０の格納位置に収容し忘れた場合、本実施の形態１の自動販売機においては外扉２０を閉じた際にプリンター１が本体キャビネット１０の構成部品と当接して外扉２０の格納位置に収容されるように構成しており、以下にその構成を図４を用いて説明する。図４はプリンター１と本体キャビネット１０の構成部品との関係を示す要部平面図である。図４において、１０１は本体キャビネット１０の底部に配設されたコンデンシングユニットを構成する凝縮器のカバー体であり、このカバー体１０１が本体キャビネット１０の構成部品に相当するものである。図４から分かるように、プリンター１を外扉２０の背面側の保守位置に引き出した状態で外扉２０を閉じると（白抜き矢印方向）、プリンター１がカバー体１０１に当接する。そうすると、プリンター１はねじ７を支軸として図において時計方向、すなわち、外扉２０の格納位置に向けて回動する。従って、プリンター１を外扉２０の格納位置に収納するのを忘れた場合にも、外扉２０が閉じられるとプリンター１は本体キャビネット１０のカバー体１０１と当接して自動的に外扉２０の格納位置に向けて回動するので、プリンター１を誤って破損してしまうことを未然に防ぐことができる。
【００２４】
前述した実施の形態１においてはプリンター１が支軸（ねじ７）を支点として回動するように構成されたものについて説明したが、プリンター１を外扉２０の前後方向（奥行き方向）にスライド移動自在とすることものできる。この場合にはプリンター１は前後方向に延在するレール機構により支持されるように構成される。具体的には外扉２０に固定レールを設け、この固定レールと係合して前後移動する可動レールを設けるとともにこの可動レールにプリンターを搭載する。そして、可動レールを固定レールに収めるとプリンター１が外扉２０の格納位置に収容され、可動レールを固定レールから引き出すとプリンター１が外扉２０の背面側にスライド移動し、プリンター１のカバー２が他の部品に妨げられることなく開閉可能な位置（保守位置）まで突出する。このように、プリンター１を外扉２０に前後方向にスライド移動自在とすることにより、プリンター１を外扉２０の比較的小さなスペースに取り付けることが可能となり、また、横置き姿勢で外扉２０に収容された格納位置から外扉の背面に向けて突出させることにより他の部品により妨げられることなくカバー２を開閉することが可能となるので印字用紙の交換を簡単に行うことができる。なお、この場合にも、プリンター１を外扉２０の格納位置に収納するのを忘れた際には外扉２０が閉じられるとプリンター１が本体キャビネット１０のカバー体１０１と当接して自動的に外扉２０の格納位置に向けてスライド移動するように構成することができ、プリンター１を誤って破損してしまうことを未然に防ぐことができる。
【産業上の利用可能性】
【００２５】
以上に説明した本発明に係る自動販売機は缶入り飲料、ペットボトル入り飲料等の商品を販売する自動販売機に加えてたばこなどの物品を販売する自動販売機、機体内に貯蔵若しくは原料から調理製造した飲料や食品を販売する自動販売機などに有用である。
【図面の簡単な説明】
【００２６】
【図１】本発明の実施の形態である自動販売機における外扉の要部背面を示し、（ａ）はプリンターを外扉に横置き姿勢で設置した状態の斜視図、（ｂ）および（ｃ）はそれぞれプリンターを外扉の格納位置に収容した状態および背面側に向けて突出させた状態を示す要部拡大図である。
【図２】図１に示したプリンターとその取付部品を示し、（ａ）はその分解斜視図、（ｂ）は取付部品の組立図である。
【図３】プリンターを出没させる動作説明図であり、（ａ）および（ｂ）はそれぞれ外扉に収容した状態および保守位置に突出させた状態を示す図である。
【図４】プリンターと本体キャビネットの構成部品との関係を示す要部平面図である。
【図５】本発明の実施対象である自動販売機の一例を示す飲料自動販売機の正面図である。
【図６】図５に示す外扉の要部背面を示す斜視図である。
【符号の説明】
【００２７】
１    プリンター
２    カバー
３    ロール紙（印字用紙）
４    取付部品
５    取付台
６    固定金具
７    ねじ（支軸）
１０    本体キャビネット
２０    外扉
【図１】
0004924537.tif 000002
【図２】
0004924537.tif 000003
【図３】
0004924537.tif 000004
【図４】
0004924537.tif 000005
【図５】
0004924537.tif 000006
【図６】
0004924537.tif 000007